(57)【特許請求の範囲】
【請求項１】
各ベッドの近傍に設置されるナースコール子機と、これらのナースコール子機からの呼び出しを報知するナースコール親機とを備えたナースコールシステムであって、
前記ナースコール子機は、患者が医療従事者を呼び出す際に操作する呼出操作部と、この呼出操作部が操作された場合に自機を他のナースコール子機と識別するための子機識別情報を含む呼出信号を生成する子機制御部と、この子機制御部により生成された呼出信号を出力する子機インターフェースとを備え、
前記ナースコール親機は、前記各ベッドが空床であるか否かを示す空床情報を前記各ベッドに設置されているナースコール子機の子機識別情報に関連付けて記憶する記憶部と、前記呼出信号を入力する親機インターフェースと、この親機インターフェースが前記呼出信号を入力した場合に、前記記憶部を参照して前記呼出信号に含まれている子機識別情報に関連付けて記憶されている空床情報を取得し、この空床情報が空床であるか否かを判定する動作判定部と、ベッドメイキングが終了したことを通知する通知部と、患者が医療従事者を呼び出していることを報知する報知部と、前記空床情報が空床であると前記動作判定部にて判定された場合に、前記通知部を動作させ、前記空床情報が空床ではないと前記動作判定部にて判定された場合に、前記報知部を動作させる親機制御部とを備えたことを特徴とするナースコールシステム。
【発明の詳細な説明】
【技術分野】
【０００１】
本発明は、患者がナースコール子機の呼出操作部を操作することによって医療従事者を呼び出すことができるナースコールシステムに関し、特に、空床情報を取得して、ナースコール親機にて空床状態を表示するナースコールシステムに関する。
【背景技術】
【０００２】
一般に、病院や介護施設などでは、ナースコールシステムが用いられている。ナースコールシステムは、病院の患者が医師または看護師のサポートを必要とする際、または介護施設の被介護者が介護師のサポートを必要とする際に、患者や被介護者（以下、これらをまとめて患者と記載する）が呼出操作部を操作することによって医者、看護師または介護師（以下、これらをまとめて医療従事者と記載する）を呼び出すことができるように成されたシステムである。
【０００３】
多くのナースコールシステムは、ベッドサイドなどに設置されるナースコール子機と、ナースステーションに設置されるナースコール親機と、病室や介護室等の各部屋の入口付近に設置される廊下灯と、通話やデータの送受信に関する制御を行う制御機とを備えて構成されている。また、上述した構成に加えて、医療従事者が携帯するＰＨＳ（Personal Handy phone System）端末などの携帯端末とＰＢＸ（Private Branch Exchange：電話交換機）とを備えたナースコールシステムも提供されている。
【０００４】
ナースコール親機には、ＬＥＤ（light-emitting  diode）などのランプと患者氏名を表示する表示欄とを備えた選局部を患者の数に応じて組み合わせたボード状のものや、ディスプレイなどに患者氏名や呼び出しを報知するためのポップアップ画面を表示するコンピューター状のものが存在している。
【０００５】
ところで、コンピューター状のナースコール親機では、呼び出しを報知するためのポップアップ画面が表示されていない待機画面や、ポップアップ画面の表示下（例えば、下のレイヤー）の画面などに病院内の病棟における病室およびベッドのレイアウトとともに患者の氏名を患者レイアウト画面として一覧表示することで、患者の配置を分かり易く表示する技術が知られている（例えば、特許文献１など）。
【０００６】
この特許文献１を含む従来の技術では、ナースコール親機は、患者情報が格納された患者情報サーバーからベッドに患者が居るか否かを示す空床情報を取得し、空床であるベッドを患者レイアウト画面に表示したり、空床であるベッドの表示を空白にして患者レイアウト画面に表示したりして、空床の表示を行っている。
【０００７】
しかしながら、空床の表示が行われているベッドの近傍に設置されているナースコール子機の呼出操作部が操作されると、患者が居るベッドの近傍に設置されているナースコール子機の呼出操作部が操作された場合と同様に、ナースコール親機はディスプレイにポップアップ画面を表示してしまうという問題があった。
【０００８】
このような問題を解決するために、ナースコール親機では、空床情報を取得し、空床であることが特定されたベッドの近傍に設置されたナースコール子機の呼出操作部による操作を無効とすることが考えられる。
【０００９】
しかしながら、空床であるからといって、そのベッドの近傍に設置されているナースコール子機の呼出操作部の操作を無効にしてしまうと、ナースコール子機を有効に活用できなくなってしまうという問題があった。
【００１０】
ところで、入院していた患者が退院すると、新しく入院する患者のためにベッドメイキングを行う必要がある。しかしながら、患者が退院したことは、患者情報サーバーから患者情報を取得することで判定することができるが、ベッドメイキングが終了したか否かという情報は患者情報サーバーから取得することができないという問題があった。
【００１１】
このような問題を解決するために、ベッド近傍にベッドメイキングが終了した際に操作するベッドメイキング終了操作部を設け、ベッドメイキング終了操作部が操作されると、ナースコール親機などでベッドメイキングの終了を表示することが考えられる。
【００１２】
しかしながら、ベッド近傍にベッドメイキング終了操作部を設けると、ベッドメイキング終了操作部が操作されると、そのベッドが空床であるか否かに関わらず、ナースコール親機にてベッドメイキングの終了が表示されてしまうという問題があった。
【００１３】
このような問題を解決するために、ナースコール親機では、空床情報を取得し、空床であることが特定されたベッドに設置されたベッドメイキング終了操作部が操作された場合にのみ、ベッドメイキングの終了を表示することが考えられる。
【先行技術文献】
【特許文献】
【００１４】
【特許文献１】特開２００４−９６４０９号公報
【発明の概要】
【発明が解決しようとする課題】
【００１５】
しかしながら、上述したナースコール子機の呼出操作部の操作を無効にしてしまう従来技術と同様に、患者がベッドに居る際にベッドメイキング終了操作部の操作を無効にしてしまうと、ベッドメイキング終了操作部を有効に活用できなくなってしまうし、ナースコール子機の呼出操作部とベッドメイキング終了操作部の二つの操作手段をベッド近傍に設けることは効率的ではないという問題があった。
【００１６】
本発明は、上述したような問題を解決するために成されたものであり、ナースコール子機の呼出操作部を有効に活用しつつ、退院した患者が使用していたベッドに対するベッドメイキングが終了したことを医療従事者に通知できるようにすることを目的とする。
【課題を解決するための手段】
【００１７】
上述した課題を解決するために、本発明では、患者が医療従事者を呼び出すために使用する呼出操作部を備えたナースコール子機を各ベッドの近傍に設置し、各ベッドが空床であるか否かを示す空床情報により空床であると判定されたベッドの近傍に設置されたナースコール子機の呼出操作部が操作された場合には、ナースコール親機にてベッドメイキングが終了したことを通知し、空床ではないと判定されたベッド近傍に設置されたナースコール子機の呼出操作部が操作された場合には、ナースコール親機により報知を行うようにしている。
【発明の効果】
【００１８】
上記のように構成した本発明によれば、ナースコール子機が設置されたベッドが空床であるか否かによって呼出操作部が操作された場合のナースコール親機による動作を異ならせるようにしているので、ナースコール子機の呼出操作部を有効に活用することができる。また、空床であると判定されたベッドの近傍に設置されたナースコール子機の呼出操作部を操作することで、退院した患者が使用していたベッドに対するベッドメイキングが終了したことを通知することができる。
【図面の簡単な説明】
【００１９】
【図１】本実施形態によるナースコールシステムの構成例を示すブロック図である。
【図２】本実施形態における記憶部の内容例を示す図である。
【図３】本実施形態のナースコールシステムによるナースコール親機の表示例を示す図である。
【発明を実施するための形態】
【００２０】
以下、本発明の一実施形態を図面に基づいて説明する。本実施形態によるナースコールシステムは、病院などのベッドを備えた施設に設置されている。図１は、本実施形態によるナースコールシステムの構成例を示すブロック図である。図１において、１はナースコール子機であり、患者のベッドの近傍に設置され、患者などにより使用される。ここで、ナースコール子機１は、各ベッドの近傍に設置されている。また、ナースコール子機１は、子機制御部２、呼出操作部３、子機インターフェース４を備えて構成されている。
【００２１】
１０はナースコール親機であり、医療従事者が常駐するナースステーションなどに設置され、医療従事者によって使用される。ここで、医療従事者は、医者、看護師だけではなく、ベッドメイキングを行う担当者を含む。また、ナースコール親機１０は、親機制御部１１、親機インターフェース１２、患者情報取得部１３、記憶部１４、報知部１５、通知部１６、動作判定部１７を備えて構成されている。そして、ナースコール子機１とナースコール親機１０との間には、廊下灯や制御機（ともに図示せず）が接続されている。廊下灯は、病室内の患者の氏名を表示するとともに、病室内の患者が呼び出しを行った場合に呼び出しが行われたことを表示する。また、制御機は、ナースコール子機１とナースコール親機１０との通信の制御を行う。
【００２２】
２０はサーバーであり、ナースステーションなどに設置されており、医療従事者によって使用される。また、サーバー２０は、少なくとも各ベッドが空床であるか否かを示す空床情報を記憶しており、ナースコール親機１０に接続されている。ここで、入院していた患者が退院すると、その患者が使用していたベッドの空床情報が空床を示す「０」となる。一方、新しい患者が入院して、空床情報が空床である「０」のベッドに登録されると、その空床情報が在床を示す「１」となる。また、空床情報の入力は、サーバー２０に接続された端末（図示せず）により行われ、登録された空床情報がサーバー２０へ記録される。
【００２３】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、呼出ボタンなどにより構成されている。また、呼出操作部３は、ナースコール子機１が設置されているベッドのベッドメイキングを終えた医療従事者が、ベッドメイキングの終了を通知する際に操作される。
【００２４】
子機インターフェース４は、ナースコール子機１とナースコール親機１０とを接続して通信を行うためのものである。患者は、医療従事者を呼び出したい場合に、呼出操作部３を操作する。すると、子機制御部２は、呼出信号を生成する。ここで、呼出信号には、このナースコール子機１を他のナースコール子機１と識別するための子機識別情報が含まれる。また、子機識別情報としては、ベッド番号などの情報を用いる。子機制御部２は、生成した呼出信号を子機インターフェース４によってナースコール親機１０へ出力する。
【００２５】
一方、ベッドメイキングを担当する医療従事者は、ベッドメイキングの終了後に呼出操作部３を操作する。すると、子機制御部２は、呼出信号を生成する。子機制御部２は、生成した呼出信号を子機インターフェース４によってナースコール親機１０へ出力する。ここで、ベッドメイキングが行われるベッドは、空床のベッドである。
【００２６】
次に、ナースコール親機１０の各構成要素について説明する。親機制御部１１は、ナースコール親機１０の各構成要素を後述するように制御するためのものであり、ＣＰＵなどにより構成されている。親機インターフェース１２は、ナースコール親機１０とナースコール子機１とを接続して通信を行うためのものである。ここで、親機インターフェース１２は、ナースコール子機１から出力された呼出信号を入力する。
【００２７】
患者情報取得部１３は、サーバー２０に接続されており、サーバー２０から各ベッドが空床であるか否かを示す空床情報を取得する。また、患者情報取得部１３は、空床情報の他に各患者の氏名を示す患者情報などを取得する。記憶部１４は、例えば図２に示すように、ナースコール子機１の子機識別情報（ベッド番号）と、患者情報取得部１３がサーバー２０から取得した空床情報とを関連付けて記憶する。
【００２８】
図２において、「１０１−１」、「１０２−１」、「１０２−２」、「１０３−１」、「１０３−２」、「１０３−４」の子機識別情報については、関連付けて記憶されている空床情報が「１」である。空床情報が「１」であれば、これらの子機識別情報により特定されるベッドは在床であるといえる。一方、「１０１−２」、「１０３−３」の子機識別情報については、関連付けて記憶されている空床情報が「０」である。空床情報が「０」であれば、これらの子機識別情報により特定されるベッドは空床であるといえる。
【００２９】
報知部１５は、スピーカーやディスプレイ、ランプなどにより構成されており、患者からの呼び出しをスピーカーから出力される音声やディスプレイに表示される画像、ランプの点灯／点滅により報知する。ここで、報知部１５としてランプを用いる場合には、そのランプがどのナースコール子機１に該当するのかを把握することができるように、患者氏名を表示する表示欄と表示ランプとを備えた選局部を患者の数に応じて組み合わせたボード状のナースコール親機１０が用いられる。また、コンピューター状のナースコール親機１０を用いる場合には、ランプは用いられない。
【００３０】
通知部１６も、スピーカーやディスプレイ、ランプなどにより構成されており、ベッドメイキングが終了したことをスピーカーから出力される音声やディスプレイに表示される画像、ランプの点灯／点滅により報知する。なお、報知部１５に用いられるスピーカー、ディスプレイ、ランプを、通知部１６に用いられるスピーカー、ディスプレイ、ランプと共通にしても良い。この場合、スピーカーから出力される音声や、ディスプレイに表示される画像、ランプの点滅のパターンを異ならせて、患者による呼び出しの報知と、ベッドメイキングの終了を示す通知とを区別する必要がある。
【００３１】
動作判定部１７は、ＣＰＵなどにより構成されており、親機インターフェース１２が呼出信号を入力した場合に、記憶部１４を参照して呼出信号に含まれる子機識別情報に関連付けて記憶されている空床情報を取得し、この空床情報が空床であるか（空床情報「０」）、在床であるか（空床情報「１」）を判定する。
【００３２】
動作判定部１７が在床（空床ではない）と判定した場合には、親機制御部１１は報知部１５を動作させて、呼出信号に含まれる子機識別情報により特定されるナースコール子機１により患者が医療従事者を呼び出したことを報知させる。一方、動作判定部１７が空床と判定した場合には、親機制御部１１は通知部１６を動作させて、呼出信号に含まれる子機識別情報により特定されるナースコール子機１によりベッドメイキングが終了したことを通知させる。
【００３３】
このように構成されたナースコールシステムにおいて、例えば、ベッド番号「１０１−１」のベッドの近傍に設置されているナースコール子機１の呼出操作部３が操作されると、子機制御部２は、子機識別情報「１０１−１」を含む呼出信号を生成し、子機インターフェース４によりナースコール親機１０へ出力する。
【００３４】
ナースコール親機１０では、親機インターフェース１２が呼出信号を入力する。すると、動作判定部１７は、記憶部１４を参照して呼出信号に含まれる子機識別情報「１０１−１」に関連付けて記憶されている空床情報「１」（図２参照）を取得し、この空床情報が在床であると判定する。動作判定部１７が在床（空床ではない）と判定するので、親機制御部１１は報知部１５を動作させる。このとき、報知部１５のディスプレイは、図３（ａ）に示す画面「ナースコール呼出  １０１−１」を表示する。一方、通知部１６のディスプレイは、図３（ａ）に示すように画面に何も表示しない。
【００３５】
また、ベッド番号「１０１−２」のベッドの近傍に設置されているナースコール子機１の呼出操作部３が操作されると、子機制御部２は、子機識別情報「１０１−２」を含む呼出信号を生成し、子機インターフェース４によりナースコール親機１０へ出力する。
【００３６】
ナースコール親機１０では、親機インターフェース１２が呼出信号を入力する。すると、動作判定部１７は、記憶部１４を参照して呼出信号に含まれる子機識別情報「１０１−２」に関連付けて記憶されている空床情報「０」（図２参照）を取得し、この空床情報が空床であると判定する。動作判定部１７が空床と判定するので、親機制御部１１は通知部１６を動作させる。このとき、報知部１５のディスプレイは、図３（ｂ）に示すように画面に何も表示しない。一方、通知部１６のディスプレイは、図３（ｂ）に示す画面「ベッドメイキングが終了しました  １０１−２」を表示する。
【００３７】
以上詳しく説明したように、本実施形態によれば、患者が医療従事者を呼び出すために使用する呼出操作部３を備えたナースコール子機１を各ベッドの近傍に設置し、各ベッドに設置されたナースコール子機１の子機識別情報と、各ベッドが空床であるか否かを示す空床情報とを関連付けて記憶部１４に記憶しておき、呼出操作部３が操作されて、ナースコール親機１０が呼出信号を入力した場合に、動作判定部１７により空床であると判定された場合には、親機制御部１１は、ベッドメイキングが終了したことを通知部１６により通知させ、空床ではないと判定された場合には、親機制御部１１は、患者により医療従事者が呼び出されたことを報知部１５により報知させるようにしている。
【００３８】
これにより、ナースコール子機１が設置されたベッドが空床であるか否かによって呼出操作部３が操作された場合のナースコール親機１０による動作を異ならせているので、ナースコール子機１の呼出操作部３を有効に活用することができる。また、空床であると判定されたベッドの近傍に設置されたナースコール子機１の呼出操作部３を操作することで、退院した患者が使用していたベッドに対するベッドメイキングが終了したことを通知することができる。従って、二つの操作手段をベッド近傍に設置して、一方の動作を無効にするといった効率の悪さを改善することができる。
【００３９】
なお、前述した実施形態では、空床情報を外部のサーバー２０から取得しているが、これに限定されない。例えば、ナースコール親機１０にて空床情報を入力することができるようにしても良い。
【００４０】
また、前述した実施形態では、通知部１６をナースステーションに設置されたナースコール親機１０に設けるようにしているが、これに限定されない。例えば、ベッドメイキングを担当する医療従事者が常駐する部屋や、ベッドメイキングを担当する医療従事者が携行する携帯端末に通知部１６を設けるようにしても良い。
【００４１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４２】
１    ナースコール子機
２    子機制御部
３    呼出操作部
４    子機インターフェース
１０    ナースコール親機
１１    親機制御部
１２    親機インターフェース
１３    患者情報取得部
１４    記憶部
１５    報知部
１６    通知部
１７    動作判定部
２０    サーバー
【図１】
0005850572.tif 000002
【図２】
0005850572.tif 000003
【図３】
0005850572.tif 000004